(57)【要約】【課題】  消費電力の削減による省エネルギーがひと目で確認できる節電制御装置を提供すること。【解決手段】  コンプレッサーを備えてなる電力消費装置のための節電制御装置において、筐体及び該筐体に嵌合する少なくとも一部が透明であっても良い蓋体から形成されるケーシングであって、前記筐体内に電子部品搭載プリント回路基板が収納され、且つ前記コンプレッサーの実稼働時間の累計を表示する表示素子と前記コンプレッサーの稼働を制御した時間の累計を表示する表示素子が前記蓋体に設けられていることを特徴とする節電制御装置。【選択図】        図１
0003102122.tif 000002
【実用新案登録請求の範囲】
【請求項１】
コンプレッサーを備えてなる電力消費装置のための節電制御装置において、筐体及び該筐体に嵌合する少なくとも一部が透明であっても良い蓋体から形成されるケーシングであって、前記筐体内に電子部品搭載プリント回路基板が収納され、且つ前記コンプレッサーの実稼働時間の累計を表示する表示素子と前記コンプレッサーの稼働を制御した時間の累計を表示する表示素子が前記蓋体に設けられていることを特徴とする節電制御装置。
【請求項２】
デマンド制御装置とコンプレッサーを備えてなる電力消費装置との間に設けられる節電制御装置において、筐体及び該筐体に嵌合する少なくとも一部が透明であっても良い蓋体から形成されるケーシングであって、前記筐体内に電子部品搭載プリント回路基板が収納され、且つ前記コンプレッサーの実稼働時間の累計を表示する表示素子と前記コンプレッサーの稼働を制御した時間の累計を表示する表示素子が前記蓋体に設けられていることを特徴とする節電制御装置。
【請求項３】
前記コンプレッサーの実稼働時間の累計を表示する表示素子と前記コンプレッサーの稼働を制御した時間の累計を表示する表示素子がＬＥＤ表示素子であることを特徴とする請求項１又は２記載の節電制御装置。
【請求項４】
前記筐体内に端子台を収納することを特徴とする請求項１乃至３のいずれかに記載の節電制御装置。
【請求項５】
防水構造となっていることを特徴とする請求項１乃至４のいずれかに記載の節電制御装置。
【請求項６】
前記筐体と前記蓋体との間にガスケットを介装し防水構造としたことを特徴とする請求項５記載の節電制御装置。
【請求項７】
前記電子部品搭載プリント回路基板は中空部が形成された架台に懸架され、前記端子台が該中空部に配設された構造であることを特徴とする請求項４乃至６のいずれかに記載の節電制御装置。
【請求項８】
前記蓋体の一部が透明であって、該透明部分の内側面に前記コンプレッサーの実稼働時間の累計を表示する表示素子及び／又は前記コンプレッサーの稼働を制御した時間の累計を表示する表示素子からのデータを活用することができる情報を表示した印刷物が貼付されていることを特徴とする請求項１乃至７のいずれかに記載の節電制御装置。
【請求項９】
前記情報が、当該節電制御装置を利用して得られた消費電力の削減率を求める計算式、削減高を求める計算式、又は二酸化炭素排出量を求める換算式であることを特徴とする請求項８記載の節電制御装置。
【考案の詳細な説明】
【技術分野】
【０００１】
本考案は節電制御装置に関し、詳しくは空調設備、冷凍設備、冷蔵設備、冷却設備等のコンプレッサーを備えてなる電力消費装置において消費される電力を削減し、省エネルギー化の達成を図る節電制御装置に関する。
【背景技術】
【０００２】
消費電力を削減し、省エネルギー化を達成することは地球温暖化対策に大いに貢献するばかりでなく、コスト削減にも寄与し得る。空調設備、冷凍設備、冷蔵設備、冷却設備等のコンプレッサーを備えてなる電力消費装置に対する消費電力を削減しコスト削減することは数多く提案されている。
【０００３】
例えば、消費電力の総合的省エネルギー化を達成することを目的とした、空調設備、冷凍設備、原動機設備及び照明設備に関する時間差制御によって順位制御を行うように設定したリレー・タイマー盤を備えて成る節電制御盤をデマンド制御装置に接続して消費電力のスケジュール制御とピークカット制御を行うことにより消費電力及び契約電力を低減するようにした節電制御装置（特許文献１参照）、冷蔵庫などに設ける冷却装置における冷却器用電動機が連続運転しないように制御することにより、電力消費を少なくし、節電すると共に、冷却器用電動機の運転時間が少なくなり、冷却器用電動機の寿命の信頼性を高める制御装置（特許文献２参照）、空調設備、冷凍設備、原動機設備、照明設備等の複数の電力消費装置において消費される総合的な電力の削減、総合的な省エネルギー化の達成を図ることを目的に、デマンド制御装置からの信号を受けて、前記複数の電力消費装置への電力の供給を順位づけて制御するリレーと、あらかじめ定められている時間ごとに前記複数の電力消費装置への電力の供給を制御するタイマーとを備えている節電制御装置（特許文献３参照）、業務用冷温蔵庫から物を取り出す人の動きを人体感知センサーで感知しプログラム化されたマイクロコンピュータの庫内温度管理で、最適温度に自動制御を行い、電力通電を最小限化する業務用冷温蔵庫の節電装置（特許文献４参照）、等が提案されている。
【特許文献１】特開２００１−１９７６６１号公報
【特許文献２】特開平１１−２５７８２１号公報
【特許文献３】特開２００３−２３７２９号公報
【特許文献４】実用新案登録第３０７７３０８号公報
【考案の開示】
【考案が解決しようとする課題】
【０００４】
しかしながら、これらの特許文献には、節電制御装置ないしは節電装置がどのような構造の装置になっているかについては具体的な開示ないしは示唆はない。
【０００５】
消費電力の削減による省エネルギー化は、一個人、一企業のひとつひとつの努力が重要であり、それが地球規模の環境保護に結びついていく。この努力を促すためには、目に見えない電気を、目に見える形でその使用量ないしは節電量を把握できることが重要である。しかも、これは、容易にできる方法でなければならない。
【０００６】
したがって、本考案は、以上のことに鑑みてなされたものであって、消費電力の削減による省エネルギーがひと目で確認できる構造とした節電制御装置を提供することを第一の目的とする。
【０００７】
また、本考案に係る節電制御装置を屋外に設置する場合は、風雨、塵埃に晒されることが多い。雨や埃は電子部品搭載プリント回路基板に悪影響を及ぼす。したがって、本考案は、第一の目的に加え、防水・防塵対策が取られた節電制御装置を提供することを第二の目的とする。
【０００８】
さらに、本考案に係る節電制御装置は空調設備、冷凍設備、冷蔵設備、冷却設備等のコンプレッサーを備えてなる電力消費装置に後付けで設置工事をすることが多い。したがって、本考案は、前記第一及び第二の目的に加え、設置工事のし易い節電制御装置を提供することを第三の目的とする。
【０００９】
また、消費電力の削減による省エネルギーはコストダウン、地球温暖化防止に寄与する二酸化炭素排出量削減と密接な関連があり、これらを数値として簡単に求めることができればコストダウンや地球環境保護等の意識改革が期待できる。したがって、消費電力削減率、削減高、二酸化炭素排出量等が計算式により簡単に求めることができる情報を表示した印刷物を貼付した節電制御装置を提供することを第四の目的とする。
【課題を解決するための手段】
【００１０】
請求項１記載の節電制御装置は、コンプレッサーを備えてなる電力消費装置のための節電制御装置において、筐体及び該筐体に嵌合する少なくとも一部が透明であっても良い蓋体から形成されるケーシングであって、前記筐体内に電子部品搭載プリント回路基板が収納され、且つ前記コンプレッサーの実稼働時間の累計を表示する表示素子と前記コンプレッサーの稼働を制御した時間の累計を表示する表示素子が前記蓋体に設けられていることを特徴とする。
【００１１】
請求項２記載の節電制御装置は、デマンド制御装置とコンプレッサーを備えてなる電力消費装置との間に設けられる節電制御装置において、筐体及び該筐体に嵌合する少なくとも一部が透明であっても良い蓋体から形成されるケーシングであって、前記筐体内に電子部品搭載プリント回路基板が収納され、且つ前記コンプレッサーの実稼働時間の累計を表示する表示素子と前記コンプレッサーの稼働を制御した時間の累計を表示する表示素子が前記蓋体に設けられていることを特徴とする。
【００１２】
請求項３記載の節電制御装置は、請求項１又は２記載の節電制御装置において、前記コンプレッサーの実稼働時間の累計を表示する表示素子と前記コンプレッサーの稼働を制御した時間の累計を表示する表示素子がＬＥＤ表示素子であることを特徴とする。
【００１３】
請求項１及び請求項２記載の節電制御装置は、コンプレッサーの実稼働時間の累計を表示する表示素子とコンプレッサーの稼働を制御した時間の累計を表示する表示素子が蓋体に設けられていることが大きな特徴である。本考案に係る節電制御装置は、このような構成になっているので、消費電力の削減による省エネルギーを外部から確認することができる。また、表示素子としてＬＥＤ表示素子を採用すれば、薄暗い場所でも見やすいといった利点がある。
【００１４】
請求項４記載の節電制御装置は、請求項１乃至３のいずれかに記載の節電制御装置において、前記筐体内に端子台を収納することを特徴とする。
【００１５】
請求項５記載の節電制御装置は、請求項１乃至４のいずれかに記載の節電制御装置において、防水構造となっていることを特徴とする。防水構造とすることにより、節電制御装置は外部からの雨水や塵埃などの侵入を防ぐことができるので、これらが原因となる故障を防ぐことができる。蓋体又は筐体若しくは両者を防水構造とすることができる。また、蓋体が不透明な素材で形成されており、コンプレッサーの実稼働時間の累計を表示する表示素子と前記コンプレッサーの稼働を制御した時間の累計を表示する表示素子が対向する蓋体の面を開口部とし、その開口部に透明板を嵌め込む場合にはガスケットを介在させて防水構造とすることが好ましい。
【００１６】
請求項６記載の節電制御装置は、請求項５記載の節電制御装置において、前記筐体と前記蓋体との間にガスケットを介装し防水構造としたことを特徴とする。このような構成にすることにより、簡単な構造で外部からの雨水や塵埃などの侵入を防ぐことができる。
【００１７】
請求項７記載の節電制御装置は、請求項４乃至６のいずれかに記載の節電制御装置において、前記電子部品搭載プリント回路基板は中空部が形成された架台に懸架され、前記端子台が該中空部に配設された構造であることを特徴とする。電子部品搭載プリント回路基板は中空部が形成された架台に懸架し、その中空部に端子台を配設するようにしたので、配線作業が容易となり設置工事がし易いという利点がある。
【００１８】
請求項８記載の節電制御装置は、請求項１乃至７のいずれかに記載の節電制御装置において、前記蓋体の一部が透明であって、該透明部分の内側面に前記コンプレッサーの実稼働時間の累計を表示する表示素子及び／又は前記コンプレッサーの稼働を制御した時間の累計を表示する表示素子からのデータを活用することができる情報を表示した印刷物が貼付されていることを特徴とする。印刷物を蓋体の透明部分の内側面に貼付するような構成とすることにより、印刷物に対し耐候性を付与する構造となり、印刷物が雨水や塵埃などで汚れたり退色することがなく半永久的に表示された情報を外部から見ることができる。また、表示される情報は、コンプレッサーの実稼働時間の累計を表示する表示素子及び／又は前記コンプレッサーの稼働を制御した時間の累計を表示する表示素子からのデータを活用することができる情報であるので、本考案に係る節電制御装置を利用することによって得られる効果を様々な視点（例えば、省エネルギー、コスト削減、地球温暖化防止に寄与する二酸化炭素排出量の削減といった視点）から捉えることができる。請求項９記載の節電制御装置は、請求項８記載の節電制御装置において、前記情報が、当該節電制御装置を利用して得られた消費電力の削減率を求める計算式、削減高を求める計算式、又は二酸化炭素排出量を求める換算式であることを特徴とする。
【考案の効果】
【００１９】
本考案に係る節電制御装置は、表示素子として少なくとも二種類の表示素子、すなわち、コンプレッサーの実稼働時間の累計を表示する表示素子とコンプレッサーの稼働を制御した時間の累計を表示する表示素子は蓋体に設けられているので、外部からこれら二つの表示素子を観察することができ、消費電力の削減による省エネルギーをひと目で確認することができるという効果を奏する。
【００２０】
また、本考案に係る節電制御装置は、防水構造となっているので節電制御装置は外部からの雨水や塵埃などの侵入を防ぐことができるので、これらが原因となる故障を防ぐことができるという効果を奏する。また、筐体と蓋体との間にガスケットを介装し防水構造とするので、簡単な構造で外部からの雨水や塵埃などの侵入を防ぐことができる。
【００２１】
さらに、本考案に係る節電制御装置は、電子部品搭載プリント回路基板は中空部が形成された架台に懸架され、端子台が中空部に配設された構造であるので、配線作業が容易となり設置工事がし易いという効果を奏する。
【００２２】
また、本考案に係る節電制御装置は、筐体又は蓋体の一部を透明とすることにより、透明部分の内側面に、前記コンプレッサーの実稼働時間の累計を表示する表示素子及び／又は前記コンプレッサーの稼働を制御した時間の累計を表示する表示素子からのデータを活用することができる情報を表示した印刷物が貼付されている構成とすることにより、印刷物に対し耐候性を付与する構造となり、印刷物が雨水や塵埃などで汚れたり退色することがなく半永久的に表示された情報を外部から見ることができる。また、本考案に係る節電制御装置を利用することによって得られる効果を様々な視点（例えば、省エネルギー、コスト削減、地球温暖化防止に寄与する二酸化炭素排出量の削減といった視点）から捉えることができ、コストダウンや地球環境保護等の意識改革が期待できる。
【考案を実施するための最良の形態】
【００２３】
以下、図面に基づいて本考案を説明する。
【００２４】
図１は本考案に係る節電制御装置の一実施形態を示す斜視図である。図１に示すように、節電制御装置Ｉは、蓋体２にコンプレッサーの実稼働時間の累計を表示する表示素子３とコンプレッサーの稼働を制御した時間の累計を表示する表示素子４が設けられている構造になっているので、外部から表示素子３及び表示素子４に表示される数値を観察することができる。図１の例では、蓋体２において、透明板１３がガスケット１４を介して蓋体２の表面２１に嵌め込まれている。また、筐体１と蓋体２はガスケット１６を介在させて嵌合されている。
【００２５】
図２は、図１に示す節電制御装置Ｉの展開図である。筐体１には、電子部品搭載プリント回路基板５及び端子台６が収納されている。電子部品搭載プリント回路基板５は、中空部が形成された架台７にビスで懸架された状態で収納された構造となっているので、その中空部に端子台６を配設することができる。また、コンプレッサーの実稼働時間の累計を表示する表示素子３とコンプレッサーの稼働を制御した時間の累計を表示する表示素子４は蓋体２に設けられている。
【００２６】
電子部品搭載プリント回路基板５には、コンプレッサーの実稼働時間の累計を表示する表示素子３とコンプレッサーの稼働を制御した時間の累計を表示する表示素子４からリード線（図示せず）が接続されている。端子台６の一方の端子片には、電子部品搭載プリント回路基板５からの複数のリード線（図示せず）が接続されている。電力消費装置からのリード線（図示せず）は、筐体１の側部に形成された複数の切欠部８の任意の一つを開穴し、端子台６の他方の端子片に接続されるようになっている。また、デマンド制御装置があるときにも、デマンド制御装置とコンプレッサーを備えてなる電力消費装置からのリード線（図示せず）は、筐体１の側部に形成された複数の切欠部８の任意の一つを開穴し、端子台６の他方の端子片に接続されるようになっている。
【００２７】
複数の切欠部８のどこを開穴するかは、節電制御装置Ｉの設置場所によって最適箇所が決まってしまう。本考案の好ましい態様によれば、電子部品搭載プリント回路基板５は、中空部が形成された架台７に懸架された状態で収納された構造となっているので、その中空部の任意の位置に端子台６を配設することができる。したがって、切欠部８の開穴の位置に応じて端子台６の配設場所を自由に決めることができ、配線作業が容易となり設置工事がし易くなる。また、開穴した切欠部８には防水・防塵対策用のコネクタを使用することが好ましい。
【００２８】
電子部品搭載プリント回路基板５及び端子台６を収納した筐体１に、コンプレッサーの実稼働時間の累計を表示する表示素子３とコンプレッサーの稼働を制御した時間の累計を表示する表示素子４が設けられている蓋体２を嵌合し、蓋体２の４隅のネジ穴９及び筐体１の４隅のネジ穴９にそれぞれネジ１０を貫通させて、本考案に係る節電制御装置Ｉを空調設備、冷凍設備、冷蔵設備、冷却設備等のコンプレッサーを備えてなる電力消費装置の室外機等（図示せず）に固定する。あるいは、筐体１を電力消費装置の室外機等にネジ１０とは別のビス等で先に固定し、蓋体２を嵌合した後、蓋体２と筐体１をネジ１０で固定することもできる。
【００２９】
図面では、蓋体２と筐体１は別体構造となっているが、例えば、丁番で蓋体２と筐体１を固定した一体構造としてもよい。
【００３０】
筐体１を構成する主要材料としては、ポリエチレン（ＰＥ）、ポリスチレン（ＰＳ）、ＡＢＳ樹脂等の汎用プラスチック、ポリアミド（ＰＡ）、ポリカーボネート（ＰＣ）、ポリブチレンテレフタレート（ＰＢＴ）、ポリアセタール等のエンジニアリング・プラスチックが挙げられる。これらは透明であっても顔料等を混入させ不透明としてもよい。また、アルミニウム、ステンレス等の金属であってもよい。また、蓋体２を構成する主要材料としては、筐体１と同様の素材を用いることができるが、不透明素材を用いる場合には、コンプレッサーの実稼働時間の累計を表示する表示素子３とコンプレッサーの稼働を制御した時間の累計を表示する表示素子４が対向する蓋体の面は開口部として、その開口部にはポリアミド等の透明プラスチックで形成された透明板１３をガスケット１４等の防水機能を持った部材を介在させて装着する。
【００３１】
図３は、図１に示す節電制御装置ＩのＡ‐Ｂ線断面における蓋体２の断面図である。図３では、コンプレッサーの実稼働時間の累計を表示する表示素子３とコンプレッサーの稼働を制御した時間の累計を表示する表示素子４として、ＬＥＤ表示素子を用いた例を示したものである。プリント配線基板１１に保持されているＬＥＤチップ１７から構成される表示素子３及び４は、支持枠１２に支持された状態で蓋体２に取り付けられている。蓋体２に取り付けられている支持枠１２の上部の開口部分には、ガスケット１４を介して透明板１３が嵌め込まれており防水対策が施されている。また、蓋体２はその内周面に筐体１に嵌合する突起状端１５が形成されており、突起状端１５に沿って形成された環状溝にガスケット１６が設けられている。ガスケット素材としてはＯリングでもシリコーン発泡体のようなガスケット発泡体でもよい。本考案に係る節電制御装置は防水・防塵対策が施されていることが好ましく、特にＩＰ−６５保護等級をクリアするレベルであることが好ましい。この観点から、ガスケット素材としては、シリコーン発泡体のようなガスケット発泡体が好ましく、例えば、特開平６−９９５０９号公報に記載のシリコーン発泡体の製造装置を利用することができる。
【００３２】
図３では、プリント配線基板に保持されているＬＥＤチップ１７から構成される表示素子３及び表示素子４は一つの支持枠に支持され同一空間に配置されている例である。しかし、プリント配線基板に保持されているＬＥＤチップ１７から構成される表示素子３及びプリント配線基板に保持されているＬＥＤチップから構成される表示素子４は、それぞれ別々の支持枠に支持されて蓋体２に取り付けられてもよい。また、図３では、表示素子３及び４の対向する蓋体の面を開口部とし、その開口部に透明板をガスケット等の防水機能を持った部材を介在させて装着する構造になっている。しかし、蓋体２を構成する素材全体が透明である場合には、外部から表示素子３及び表示素子４に表示される数値を観察することができるので、図３のような開口部を設ける必要はない。
【００３３】
プリント配線基板としては、従来公知の任意の基板を用いることができるが、ポリエステルフィルムを支持体とするメンブレンシートを用いることにより、より薄い表示素子とすることができるので好ましい。
【００３４】
図４は、ＬＥＤ数字表示素子板の概略図である。ＬＥＤ数字表示素子板１８として、一桁の数字を表示するのに７個のＬＥＤチップ１７を用いた７セグメントＬＥＤ数字表示素子を用いた例を示してある。７セグメントＬＥＤとは、７個のＬＥＤチップが組み合わせられたものであり、各ＬＥＤチップを適宜発光させることにより０〜９の数字を表示するものである。小数点部分を含めた８セグメントＬＥＤを用いてもよい。
【００３５】
以上の実施形態では、表示素子としてコンプレッサーの実稼働時間の累計を表示する表示素子とコンプレッサーの稼働を制御した時間の累計を表示する表示素子の二種類の表示素子であるが、例えば、空調設備等のように室内にコントロールパネルがある場合には、コントロールパネルをオンしている時間の累計を表示する表示素子を設けることもできる。この場合でも、この第３の表示素子は外部から観察できるようにすることが好ましい。
【００３６】
図５は、内側面に印刷物が貼付されている透明素材で形成された蓋体の別の実施態様を示す斜視図である。蓋体２全体が透明なプラスチックで形成された例であり、蓋体２の内側面に、コンプレッサーの実稼働時間の累計を表示する表示素子３及びコンプレッサーの稼働を制御した時間の累計を表示する表示素子４からのデータを活用することができる情報を表示した印刷物１９が貼付されている。この例では、コンプレッサーの実稼働時間の累計を表示する表示素子３からのデータはＯＰＥＲＡＴＩＯＮメーター値（ＯＰメーターー値）であり、コンプレッサーの稼働を制御した時間の累計を表示する表示素子４からのデータはＳＡＶＥメーター値である。すなわち、消費電力の削減率を求める計算式は、ＳＡＶＥメーター値÷（ＳＡＶＥメーター値＋ＯＰメーター値）である。この計算式に二つの表示素子からのデータを代入することにより、本考案に係る節電制御装置を用いて得られた消費電力の削減率を求めることができる。
【００３７】
また、印刷物１９を蓋体２の内側面に貼付することにより、印刷物に対し耐候性を付与する構造となり、印刷物が雨水や塵埃などで汚れたり退色することがなく半永久的に表示された情報を外部から見ることができる。また、筐体１内部に収納している電子部品搭載プリント回路基板５が直接外部から見えないので美観という観点からも好ましい態様である。図２に示すように、電子部品搭載プリント回路基板５が中空部が形成された架台７にビスで懸架された状態で収納された構造となっている場合には、印刷物１９は、中空部が形成された架台７に貼付することもできる。
【００３８】
コンプレッサーの実稼働時間の累計を表示する表示素子及びコンプレッサーの稼働を制御した時間の累計を表示する表示素子からのデータを活用することができる情報としては、削減率を求める計算式の他に、削減高を求める計算式や二酸化炭素排出量を求める換算式等がある。削減高を求める計算式は、ＳＡＶＥメーター値×コンプレッサー容量×１．５（係数）×料金単価である。二酸化炭素排出量を求める換算式としては、例えば、ＯＰメーター値（時間：ｈ）×定格消費電力（ｋＷ）×二酸化炭素排出係数（ｋｇ／ｋＷ・ｈ）＝ＣＯ2量（ｋｇ）のような表記である。なお、二酸化炭素排出係数としては例えば、０．３５７（ｋｇ／ｋＷ・ｈ）の数値を用いることができる。
【００３９】
次に、本考案に係る節電制御装置の利用例を示す。本考案に係る節電制御装置を業務用空調機（コンプレッサーの容量５．５ｋＷ）の屋外機に設置した。端子台の配設の自由度が大きいので、極めて短時間で設置工事が完了した。２００３年６月２４日に設置し、同年７月７日に調査した。コンプレッサーの実稼働時間の累計を表示する表示素子は２４．３時間を表示しており、コンプレッサーの稼働を制御した時間の累計を表示する表示素子は１１．９時間を表示していた。これらの数値から、削減率は３２．９％であることが容易に算出することができる（１１．９÷（１１．９＋２４．３）＝０．３２９）。また、削減高は１４７３円と容易に算出することができる（１１．９×５．５×１．５×１５＝１４７２．６  ここで、料金単価はｋＷ当たり１５円とした。）。さらに、二酸化炭素排出量は４７．７ｋｇと容易に算出することができる（２４．３×５．５×０．３５７＝４７．７）。
【００４０】
また、本考案に係る節電制御装置はＩＰ−６５保護等級の防水・防塵対策が施されているので、雨水や塵埃などの侵入による影響は全くなかった。
【図面の簡単な説明】
【００４１】
【図１】本考案に係る節電制御装置の一実施形態を示す斜視図である。
【図２】図１に示す節電制御装置の展開図である。
【図３】図１に示す節電制御装置ＩのＡ・Ｂ線断面における蓋体２の断面図である。
【図４】ＬＥＤ数字表示素子板の概略図である。
【図５】内側面に印刷物が貼付されている透明素材で形成された蓋体の別の実施態様を示す斜視図である。
【符号の説明】
【００４２】
Ｉ  節電制御装置
１  筐体
２  蓋体
３、４  表示素子
５  電子部品搭載プリント回路基板
６  端子台
７  中空部が形成された架台
８  切欠部
９  ネジ穴
１０  ネジ
１１  プリント配線基板
１２  支持枠
１３  透明板
１４、１６  ガスケット
１５  突起状端
１７  ＬＥＤチップ
１８  ＬＥＤ数字表示素子板
１９  印刷物又は印刷されたラベル
【図１】
0003102122.tif 000003
【図２】
0003102122.tif 000004
【図３】
0003102122.tif 000005
【図４】
0003102122.tif 000006
【図５】
0003102122.tif 000007